【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
直流電圧若しくは直流成分に脈流が重畳された電圧を入力電圧とし、該入力電圧をスイッチング素子によってスイッチングして、該スイッチング素子がＯＮの期間にトランスの一次側の励磁巻線に励磁電流を流し、該スイッチング素子がＯＦＦの期間に該トランスの二次側の出力巻線から交流波形の出力電圧を出力するインバータ装置において、
前記スイッチング素子をＯＮ・ＯＦＦ制御する手段に、前記スイッチング素子がＯＦＦの期間中に、該スイッチング素子に前記励磁電流を流す方向と逆方向に流れる電流が発生した後、その電流値がゼロになるタイミングで前記スイッチング素子をＯＮにするＯＮタイミング制御手段を設けたことを特徴とするインバータ装置。
【請求項２】
前記ＯＮタイミング制御手段は、
前記出力電圧と同期して、波高値が該出力電圧より小さい波形の模擬出力電圧を発生する模擬出力電圧発生手段と、
該模擬出力電圧発生手段が発生する模擬出力電圧のゼロクロス点を検出するゼロクロス検出回路と、
前記スイッチング素子がＯＦＦになった時点から３番目の前記ゼロクロス点で、前記スイッチング素子をＯＮにする信号を発生する回路とを有することを特徴とする請求項１に記載のインバータ装置。
【請求項３】
前記ＯＮタイミング制御手段は、
前記出力電圧と同期して、波高値が該出力電圧より小さい波形の模擬出力電圧を発生する模擬出力電圧発生手段と、
該模擬出力電圧発生手段が発生する模擬出力電圧のゼロクロス点を検出するゼロクロス検出回路と、
前記スイッチング素子がＯＦＦになった時点から２番目の前記ゼロクロス点から、前記スイッチング素子の直前のＯＮの期間と同じ期間が経過した時点で、前記スイッチング素子をＯＮにする信号を発生する回路とを有することを特徴とする請求項１に記載のインバータ装置。
【請求項４】
前記ＯＮタイミング制御手段は、
前記スイッチング素子がＯＦＦの期間に、該スイッチング素子に前記励磁電流を流す方向と逆方向に流れる電流を検出する電流検出手段と、
該電流検出手段によって検出された電流値をバイアス電圧を加えた電圧値に変換する電流−電圧変換回路と、
該電流−電圧変換回路によって変換された電圧値が、予め設定した基準電圧になった後、該基準電圧より前記電流値が０に相当する電圧値に近い２つの異なる閾値電圧を低い方から順次超えた後、所定の遅延時間が経過した時点で、前記スイッチング素子をＯＮにする信号を発生する回路とを有することを特徴とする請求項１に記載のインバータ装置。
【請求項５】
前記ＯＮタイミング制御手段は、
前記出力電圧と同期して、波高値が該出力電圧より小さい波形の模擬出力電圧を発生する模擬出力電圧発生手段と、
該模擬出力電圧発生手段が発生する模擬出力電圧のゼロクロス点を検出するゼロクロス検出回路と、
前記スイッチング素子がＯＦＦの期間に、該スイッチング素子に前記励磁電流を流す方向と逆方向に流れる電流を検出する電流検出手段と、
該電流検出手段によって検出された電流値をバイアス電圧を加えた電圧値に変換する電流−電圧変換回路と、
前記スイッチング素子がＯＦＦになった時点から２番目の前記ゼロクロス点から、前記電流−電圧変換回路によって変換された電圧値が、前記電流値が０に相当する電圧値に近い２つの異なる閾値電圧を低い方から順次超えた後、所定の遅延時間が経過した時点で、前記スイッチング素子をＯＮにする信号を発生する回路とを有することを特徴とする請求項１に記載のインバータ装置。
【請求項６】
前記スイッチング素子をＯＮ・ＯＦＦ制御する手段が、前記スイッチング素子をＯＮ・ＯＦＦ制御する周期を、前記スイッチング素子がＯＦＦの期間のうち前記出力電圧が発生している期間と、前記スイッチング素子がＯＮの期間の２倍との和になるように制御することを特徴とする請求項１から５のいずれか一項に記載のインバータ装置。
【請求項７】
前記スイッチング素子をＯＮ・ＯＦＦ制御する手段が、前記スイッチング素子のＯＮ期間又は前記ＯＮ・ＯＦＦ制御する周期のいずれかを一定に保持することを特徴とする請求項６に記載のインバータ装置。
【請求項８】
前記スイッチング素子をＯＮ・ＯＦＦ制御する手段は、前記模擬出力電圧発生手段が発生する模擬出力電圧のピーク電圧を検出するピーク電圧検出回路と、該ピーク電圧検出回路によって検出されるピーク電圧の値に応じて、前記スイッチング素子がＯＮの期間を制御するＯＮ期間制御手段とを有することを特徴とする請求項２，３，５のいずれか一項に記載のインバータ装置。
【請求項９】
前記ＯＮ期間制御手段は、前記ピーク電圧の値が所定値より大きい場合は前記スイッチング素子がＯＮの期間を前回より短くし、前記ピーク電圧の値が所定値より小さい場合は前記スイッチング素子がＯＮの期間を前回より長くすることを特徴とする請求項８に記載のインバータ装置。
【請求項１０】
前記トランスを、個別の磁路を持つ同じ特性の複数のトランスによって構成し、該複数の各トランスの励磁巻線を互いに並列又は直列に接続して同時に前記励磁電流を流し、前記各トランスの出力巻線を互いに直列又は並列に接続して、前記出力電圧を出力させるようにしたことを特徴とする請求項１から９のいずれか一項に記載のインバータ装置。
【手続補正２】
【補正対象書類名】明細書
【補正対象項目名】００１４
【補正方法】変更
【補正の内容】
【００１４】
図２は、図１における各部の電圧又は電流の波形とそのタイミング関係を示すタイミングチャートである。この図２の（ａ）〜（ｄ）は次の各波形を示している。
（ａ）は制御回路５から出力されるスイッチング制御信号Ｓｐであり、ハイレベルの期間がスイッチング素子４をＯＮにしているＯＮ期間Ｔｏｎ、ローレベルの期間がスイッチング素子４をＯＦＦにしているＯＦＦ期間Ｔｏｆｆで、ＯＮ・ＯＦＦの周期がＴである。
（ｂ）はスイッチング素子４を流れるドレイン電流Ｉｄであり、図で正の期間はトランス３の励磁巻線Ｎｐに流す励磁電流である。
（ｃ）は交番する高電圧の出力電圧Ｖｏｕｔであるが、基本波（第１波）の最初の半波（この例では正の半波）のみを、その波高値を大幅に縮小して示している。
（ｄ）はトランス３の二次側に流れる出力電流Ｉｏにおける（ｃ）に示した出力電圧Ｖｏｕｔと対応する部分の波形を示している。
【手続補正３】
【補正対象書類名】明細書
【補正対象項目名】００２１
【補正方法】変更
【補正の内容】
【００２１】
トランス３の変換効率＝１とし、トランス３の一次側に蓄えられる励磁エネルギーεが、二次側に放出されるエネルギーと等しいとすると、εは次のようになる。
ε＝Ｃ・Ｖｏｕｔ２  となる。
（Ｖｏｕｔ：出力電圧、Ｃ：ＣｓとＣｏの合成容量）
これより、Ｖｏｕｔ＝√（ε／Ｃ）となり、Ｖｏｕｔは、εとＣの関係にて決定される。
前述した（３）式に示したように、εはＶｉｎ・Ｔｏｎに依存する関係になっている。したがって、入力電圧Ｖｉｎが一定とすると、トランス３の一次側に蓄えられる励磁エネルギーεは、ＯＮ期間Ｔｏｎの幅によってリニアに制御できる。
【手続補正４】
【補正対象書類名】明細書
【補正対象項目名】００２９
【補正方法】変更
【補正の内容】
【００２９】
このドレイン電流Ｉｄが、負方向に流れてからその電流値がゼロ（０Ａ）になるタイミングは、出力電圧Ｖｏｕｔの第１波が０Ｖになってから直前のＯＮ期間Ｔｏｎ１と同等の時間が経過した時点であることが分かった。この時間を図８にＴｘで示し、Ｔｘ≒Ｔｏｎ１である。
そこで、図１に示した制御回路５は、スイッチング制御信号Ｓｐをハイレベル（Ｔｏｎ１）からローレベル（Ｔｏｆｆ）に切り替えた後、次のように動作する。
すなわち、出力電圧Ｖｏｕｔの第１波の正電圧が発生している期間（「出力パルス幅」と称す）Ｔｏｕｔの後、直前のＯＮ期間Ｔｏｎ１と同じ時間Ｔｘが経過した時点で、スイッチング制御信号Ｓｐをハイレベル（Ｔｏｎ２）に切り替える。
したがって、この制御回路５が、スイッチング素子をＯＮ・ＯＦＦ制御する手段であり、且つスイッチング素子４のドレイン電流Ｉｄが負方向に流れてから、その電流値がゼロ（０Ａ）になるタイミングで、スイッチング素子４をＯＮにするＯＮタイミング制御手段でもある。
【手続補正５】
【補正対象書類名】明細書
【補正対象項目名】００３３
【補正方法】変更
【補正の内容】
【００３３】
逆に、出力パルス幅Ｔｏｕｔが基準期間より短くなったときは、一般に出力電圧Ｖｏｕｔの波高値が基準値より低くなっている。このとき、周期Ｔは基準周期より短くなるが、ＯＮ期間Ｔｏｎは一定であるから、１周期におけるＯＮ期間の割合であるデューティ比は大きくなり、出力電圧Ｖｏｕｔの波高値を上げるように機能する。
したがって、出力電圧Ｖｏｕｔの波高値（ピーク値）を検出して、それを一定にするようにスイッチング制御信号Ｓｐのデューティ比をフィードバック制御するＰＷＭ制御を実施しなくても、常にそれに近い制御が自動的になされることになる。
【手続補正６】
【補正対象書類名】明細書
【補正対象項目名】００３６
【補正方法】変更
【補正の内容】
【００３６】
逆に、出力パルス幅Ｔｏｕｔが基準期間より短くなったときは、ＯＮ期間Ｔｏｎを長くして周期Ｔを一定に保持すれば、１周期におけるＯＮ期間の割合であるデューティ比は大きくなり、出力電圧Ｖｏｕｔの波高値を上げるように機能する。
したがって、この場合にも、出力電圧Ｖｏｕｔの波高値（ピーク値）を検出して、それを一定にするようにスイッチング制御信号Ｓｐのデューティ比をフィードバック制御するＰＷＭ制御を実施しなくても、常にそれに近い制御が自動的になされることになる。
【手続補正７】
【補正対象書類名】明細書
【補正対象項目名】００４１
【補正方法】変更
【補正の内容】
【００４１】
この模擬出力電圧Ｖｆの波高値は、出力電圧Ｖｏｕｔが高圧や特別高圧にあたるような高電圧の場合、その波高値の１／１００以下であり、１／１０００程度より小さいとさらによい。したがって、例えば出力電圧Ｖｏｕｔの波高値が１０ｋＶの場合、模擬出力電圧Ｖｆの波高値は１００Ｖ以下、好ましくは１０Ｖ以下の電圧になるようにする。しかし、模擬出力電圧Ｖｆの出力パルス幅（出力期間）は出力電圧Ｖｏｕｔの出力パルス幅と同じであり、その波高値は出力電圧Ｖｏｕｔの波高値に比例して変動する。したがって、この模擬出力電圧Ｖｆによって出力電圧Ｖｏｕｔをモニタできる。
【手続補正８】
【補正対象書類名】明細書
【補正対象項目名】００４９
【補正方法】変更
【補正の内容】
【００４９】
模擬出力電圧Ｖｆは、トランス１３の出力巻線Ｎｓから出力される出力電圧Ｖｏｕｔと同期して変化する交番波形の電圧である。そのため、このゼロクロス検出回路１６によって検出されるゼロクロス点は、出力巻線Ｎｓから出力される出力電圧Ｖｏｕｔのゼロクロス点と一致するはずである。すなわち、このゼロクロス検出回路１６によって、インバータ装置１の出力電圧Ｖout のゼロクロス点（図８に示したＰｚ１，Ｐｚ２，Ｐｚ３）を検出できることになる。
【手続補正９】
【補正対象書類名】明細書
【補正対象項目名】００５３
【補正方法】変更
【補正の内容】
【００５３】
ステップＳ３でカウント値が「２」になると、図８における２番目のゼロクロス点Ｐｚ２が検出されたと判断できるので、ステップＳ４でタイマをスタートさせて、ＯＮ時間に相当する所定時間Ｔｏｎの計時を開始する。そして、ステップＳ５で所定時間Ｔｏｎの経過を待つ。この場合、所定時間Ｔｏｎをタイマにセットした状態からクロック信号で減算していけば、タイマの値が「０」になったときに所定時間Ｔｏｎが経過したことになる。
ステップＳ５で所定時間Ｔｏｎが経過したと判断すると、ステップＳ６でＯＮタイミング制御信号Ｓｏｎを出力し、図９の制御回路１５のＦＢ端子に入力させる。それによって、制御回路１５がスイッチング制御信号Ｓｐをローレベルからハイレベルに反転して、スイッチング素子４をＯＮにする。
【手続補正１０】
【補正対象書類名】明細書
【補正対象項目名】００６３
【補正方法】変更
【補正の内容】
【００６３】
インバータ装置１が起動すると、演算回路１７が図１５の処理を開始する。そして、ステップＳ１，Ｓ２でゼロクロス検出信号Ｚｘをカウントし、ステップＳ３でカウント値が「２」になるまでに、ステップＳ１１でピーク電圧Ｖｐ検出の判断をして、ステップＳ１２でそのピーク電圧Ｖｐを記憶する。
これは、図８に示した出力電圧Ｖｏｕｔと対応する模擬出力電圧Ｖｆが、１番目のゼロクロス点Ｐｚ１と２番目のゼロクロス点Ｐｚ２の間の期間で発生しているので、その期間にピーク電圧Ｖｐを検出するのである。
【手続補正１１】
【補正対象書類名】明細書
【補正対象項目名】００６４
【補正方法】変更
【補正の内容】
【００６４】
ステップＳ３でカウント値が「２」になると、演算回路１７はステップＳ４でタイマをスタートし、ステップＳ５で、前回のスイッチング素子４のＯＮ期間に相当する所定時間Ｔｏｎが経過するのを待つ。所定時間Ｔｏｎが経過すると、ステップＳ６でＯＮタイミング制御信号Ｓｏｎを出力し、図１３の制御回路２５のＦＢ端子に入力させる。それによって、制御回路２５がスイッチング制御信号Ｓｐをローレベルからハイレベルに反転して、スイッチング素子４をＯＮにする。
【手続補正１２】
【補正対象書類名】明細書
【補正対象項目名】００６６
【補正方法】変更
【補正の内容】
【００６６】
演算回路１７はステップＳ１４で、その決定したＯＮ期間を示すＯＮ期間制御信号Ｓｗを出力し、図１３に示した制御回路２５のＰＷＭ端子に入力させる。それによって、制御回路２５はスイッチング制御信号Ｓｐをハイレベルにした後、ＯＮ期間制御信号Ｓｗによって伝達されたＯＮ期間後にスイッチング制御信号Ｓｐをローレベルに反転して、スイッチング素子４をＯＦＦにする。そのＯＮ期間制御信号Ｓｗは、例えばＯＮ期間の長さに対応するアナログ電圧とする。
【手続補正１３】
【補正対象書類名】明細書
【補正対象項目名】００７３
【補正方法】変更
【補正の内容】
【００７３】
そして、スイッチング素子４に流れるドレイン電流Ｉｄを検出し、その検出値を演算回路１７が監視して、ＯＮタイミング制御信号Ｓｏｎを出力する。すなわち、スイッチング素子４がＯＦＦの期間に、ドレイン電流Ｉｄがトランス３に励磁電流を流す方向と逆方向に流れた後、その電流値がゼロになるタイミングで、演算回路１７がＯＮタイミング制御信号Ｓｏｎを出力し、制御回路１５のＦＢ端子に入力させる。それによって、制御回路１５がスイッチング制御信号Ｓｐをローレベルからハイレベルに反転して、スイッチング素子４をＯＮにする。
【手続補正１４】
【補正対象書類名】明細書
【補正対象項目名】００７５
【補正方法】変更
【補正の内容】
【００７５】
そのカレントトランス１９は、その一次巻線Ｎ１をスイッチング素子４のソースとフレームグラウンドＧＮＤの間に直列に介挿する。その一次巻線Ｎ１と二次巻線Ｎ２の巻数比をｎ：１にすると、一次巻線Ｎ１に流れる電流の１／ｎの電流が二次巻線Ｎ２に流れる。したがって、このカレントトランス１９の一次巻線Ｎ１にドレイン電流Ｉｄが流れると、二次巻線Ｎ２に電流ｉｄ＝Ｉｄ／ｎの電流が流れ、ドレイン電流Ｉｄを検出することができる。
【手続補正１５】
【補正対象書類名】明細書
【補正対象項目名】００７７
【補正方法】変更
【補正の内容】
【００７７】
図１８に示すオペアンプ２１の出力端子と反転入力端子との間に帰還抵抗Ｒ２を接続している。そのオペアンプ２１、バイアス電圧回路２２、および抵抗Ｒ１，Ｒ２によって、電流−電圧変換回路２０を構成している。この電流−電圧変換回路２０は、電流検出手段であるカレントトランス１９によってドレイン電流Ｉｄを検出した電流ｉｄの値を、バイアス電圧Ｖｂを加えた電圧値に変換して、図１９に示す検出電圧Ｖｏｐにする。
図１９は、図１８におけるドレイン電流Ｉｄとオペアンプ２１の出力電圧である検出電圧Ｖｏｐの関係を示すタイミングチャートである。
【手続補正１６】
【補正対象書類名】明細書
【補正対象項目名】００８０
【補正方法】変更
【補正の内容】
【００８０】
検出電圧Ｖｏｐが閾値電圧ＴＨ２になると直ちにそれを超えるので、演算回路１７はその時点から、ステップＳ２４で予め設定した遅延時間ｔｄが経過した時点で、ステップＳ２５でＯＮタイミング制御信号Ｓｏｎを出力し、制御回路１５のＦＢ端子に入力させる。
それによって、制御回路１５がスイッチング制御信号Ｓｐをローレベルからハイレベルに反転して、スイッチング素子４をＯＮにする。
【手続補正１７】
【補正対象書類名】明細書
【補正対象項目名】００８５
【補正方法】変更
【補正の内容】
【００８５】
そこで、この演算回路１７の動作を、図２３に示すタイミングチャートと図２４に示すフローチャートによって説明する。
図２３は、第３の実施形態の説明に使用した図２０と同様なタイミングチャートである。
また、図２４のフローチャートにおいて、図１６及び図２１のフローチャートと同等の判断又は処理を行うステップには、同一のステップ番号を付している。
図２２に示すインバータ装置１が起動すると、演算回路１７が図２４のフローチャートに示す動作を開始する。
【手続補正１８】
【補正対象書類名】明細書
【補正対象項目名】００８６
【補正方法】変更
【補正の内容】
【００８６】
演算回路１７は、ステップＳ１でゼロクロス検出回路１６からゼロクロス検出信号Ｚｘが入力すると、ステップＳ２でカウンタを＋１する。そして、ステップＳ３でカウント値が「２」になる前に、ステップＳ１１でピーク電圧検出回路１８によるピーク電圧Ｖｐを判断して、ステップＳ１２でそのピーク電圧Ｖｐを記憶する。
これは、図２３に示す模擬出力電圧Ｖｆの１番目のゼロクロス点Ｐｚ１と２番目のゼロクロス点Ｐｚ２の間の期間で、模擬出力電圧Ｖｆのピーク電圧Ｖｐ（出力電圧Ｖｏｕｔの波高値と対応する）を検出して、それを記憶することである。
【手続補正１９】
【補正対象書類名】明細書
【補正対象項目名】００８７
【補正方法】変更
【補正の内容】
【００８７】
ステップＳ３でカウント値が「２」になると、図２３に示す模擬出力電圧Ｖｆが２番目のゼロクロス点Ｐｚ２になったことになる。そこで、この時点から、演算回路１７はドレイン電流検出手段１９と電流−電圧変換回路２０による検出電圧Ｖｏｐを監視する。
そして、検出電圧ＶｏｐがステップＳ２２で図２３に示す閾値電圧ＴＨ１になった後、ステップＳ２３で閾値電圧ＴＨ２（ＴＨ２＞ＴＨ１）になると、ステップＳ２４で予め設定した遅延時間ｔｄだけ遅延する。その遅延時間ｔｄが経過した時点でステップＳ２５へ進み、ＯＮタイミング制御信号Ｓｏｎを出力して、制御回路２５のＦＢ端子に入力させる。
それによって、制御回路２５がスイッチング制御信号Ｓｐをローレベルからハイレベルに反転して、スイッチング素子４をＯＮにする。
【手続補正２０】
【補正対象書類名】明細書
【補正対象項目名】００８８
【補正方法】変更
【補正の内容】
【００８８】
また、演算回路１７はステップＳ１３で、ステップＳ１２で記憶したピーク電圧Ｖｐに応じてＯＮ期間Ｔｏｎを決定する。その決定方法は、第２の実施形態における図１５のステップＳ１３の処理で説明したいずれかの方法による。
そして、演算回路１７はステップＳ１４で、その決定したＯＮ期間を示すＯＮ期間制御信号Ｓｗを出力し、図２２に示した制御回路２５のＰＷＭ端子に入力させる。それによって、制御回路２５はスイッチング制御信号Ｓｐをハイレベルにした後、ＯＮ期間制御信号Ｓｗによって伝達されたＯＮ期間後にスイッチング制御信号Ｓｐをローレベルに反転して、スイッチング素子４をＯＦＦにする。そのＯＮ期間制御信号Ｓｗは、例えばＯＮ期間の長さに対応するアナログ電圧とする。
【手続補正２１】
【補正対象書類名】明細書
【補正対象項目名】００８９
【補正方法】変更
【補正の内容】
【００８９】
その後、演算回路１７はステップＳ７′で、カウンタをリセットして再スタート状態にし、ステップＳ８で電源がＯＦＦになったか否かをチェックする。そして、電源がＯＦＦになれば動作を終了するが、ＯＦＦになるまではステップＳ１へ戻って、上述した動作を繰り返し実行する。
この第４の実施形態のインバータ装置１によれば、前述した第２の実施形態による効果と第３の実施形態による効果の両方を奏することができる。
【手続補正２２】
【補正対象書類名】明細書
【補正対象項目名】００９１
【補正方法】変更
【補正の内容】
【００９１】
その電圧Ｖｄｓは、前述した模擬出力電圧Ｖｆと同様に、その波形が出力電圧Ｖｏｕｔと同期して変化し、波高値が出力電圧Ｖｏｕｔの波高値に較べて桁違いに小さい（例えば１／１０００以下）模擬出力電圧である。スイッチング素子４がＯＦＦの期間中におけるその電圧Ｖｄｓのピーク値（出力電圧Ｖｏｕｔの波高値に対応する）を、ピーク電圧検出回路２８が検出して、演算回路１７のＡ／Ｄポートへ入力させる。
従って、この場合は、トランス３及びスイッチング素子４とダイオードＤ１が、模擬出力電圧発生手段を構成していることになる。
【手続補正２３】
【補正対象書類名】明細書
【補正対象項目名】００９２
【補正方法】変更
【補正の内容】
【００９２】
この実施形態における演算回路１７は、図１７に示した第３の実施形態の演算回路１７のＯＮタイミング制御手段としての機能と、図２２に示した第４の実施形態の演算回路１７におけるＯＮ期間制御手段としての機能を組み合わせたような動作をする。
すなわち、この実施形態のインバータ装置１が起動して、演算回路１７が動作を開始すると、スイッチング素子４のＯＮタイミングを制御するために、図２１に示したフローチャートに従って動作する。
【手続補正２４】
【補正対象書類名】明細書
【補正対象項目名】００９３
【補正方法】変更
【補正の内容】
【００９３】
しかし、この演算回路１７は、図２１のステップＳ２１でドレイン電流Ｉｄの検出電圧Ｖｏｐが基準電圧ＴＨ０以下になるまでに、ピーク電圧検出回路２８からのピーク電圧Ｖｐ′を判別して記憶する。そして、ステップＳ２５でＯＮタイミング制御信号Ｓｏｎを出力した後、記憶したピーク電圧Ｖｐ′に応じてＯＮ期間Ｔｏｎを決定し、そのＯＮ期間Ｔｏｎを示すＯＮ期間制御信号Ｓｗを出力する。
そのＯＮタイミング制御信号ＳｏｎとＯＮ期間制御信号Ｓｗを、制御回路２５のＦＢ端子とＰＷＭ端子にそれぞれ入力させ、制御回路２５に、スイッチング素子４のＯＮタイミングとＯＮ期間を制御させる。
この第５の実施形態のインバータ装置によっても、前述した第４の実施形態のインバータ装置と同様な効果が得られる。
【手続補正２５】
【補正対象書類名】明細書
【補正対象項目名】００９７
【補正方法】変更
【補正の内容】
【００９７】
したがって、その出力電圧Ｖｏｕｔは、第２の実施形態のインバータ装置１の出力電圧Ｖｏｕｔの約２倍の高電圧（波高値及び平均値）が得られる。そのため、トランス３０を構成する各トランスＴ１，Ｔ２の出力巻線Ｎｓ１，Ｎｓ２に発生する出力電圧波形の時間軸が同期していることが望ましい。
あるいは、第２の実施形態のインバータ装置１と同等の出力電圧Ｖｏｕｔを得る場合には、各トランスＴ１，Ｔ２を小型にして、トランス３０全体も小型化することができる。
なお、トランス３０を構成する各トランスＴ１，Ｔ２の励磁巻線Ｎｐ１，Ｎｐ２を互いに直列に接続して、同時に励磁電流を流すようにしてもよい。その場合は、各励磁巻線Ｎｐ１，Ｎｐ２に印加される電圧は、入力電圧の１／２になるので、耐圧が低くて済む。
【手続補正２６】
【補正対象書類名】明細書
【補正対象項目名】０１０５
【補正方法】変更
【補正の内容】
【０１０５】
１：インバータ装置    ２：負荷    ３，１３，３０：昇圧用のトランス    
４：スイッチング素子    ５，１５，２５：制御回路    
１６：ゼロクロス検出回路    １７：演算回路    １８，２８：ピーク電圧検出回路    
１９：ドレイン電流検出手段（カレントトランス）    
２０：電流−電圧変換回路    ２１：オペアンプ    ２２：バイアス電圧回路
６０：フォトカプラ    ６１，６２：発光素子    ６３，６４：受光素子
Ｉ１，Ｉ２：入力端子    Ｏ１，Ｏ２：出力端子    Ｔ１，Ｔ２：個別のトランス
Ｎｐ，Ｎｐ１，Ｎｐ２：励磁巻線    Ｎｓ，Ｎｓ１，Ｎｓ２：出力巻線    
Ｎｆ：従属巻線（第３次巻線）    Ｖｉｎ：入力電圧    Ｖｏｕｔ：出力電圧    
Ｖｆ：模擬出力電圧    Ｖｐ，Ｖｐ′：ピーク電圧    Ｖｏｐ：検出電圧
Ｉｄ：ドレイン電流    Ｓｐ：スイッチング制御信号
Ｓｏｎ：ＯＮタイミング制御信号    Ｓｗ：ＯＮ期間制御信号
【手続補正２７】
【補正対象書類名】図面
【補正対象項目名】図２６
【補正方法】変更
【補正の内容】
【図２６】
2016093063.tif 000001